(57)【要約】【課題】様々な環境において携帯用コンピュータの人間工学的な使用を可能にする。【解決手段】  携帯用コンピュータシステムは、前縁（１８）、後縁（２０）、上面（２２）、および下面（２４）を有する主シャーシ（１２）を含む。支持シャーシ（１４）は主シャーシ（１２）の前縁（１８）に回転可能に接続される。表示パネル（１６）は主シャーシ（１２）の後縁（２０）に回転可能に接続される。【選択図】図１
2006099764.tif 000002
【特許請求の範囲】
【請求項１】
前縁、後縁、上面、および下面を含む主シャーシと、
前記主シャーシの前記前縁に回転可能に接続される支持シャーシと、
前記主シャーシの前記後縁に回転可能に接続される表示パネルと、
を備えることを特徴とする携帯用コンピュータシステム。
【請求項２】
前記主シャーシの前記上面に配置される入力装置をさらに備えることを特徴とする請求項１に記載の携帯用コンピュータシステム。
【請求項３】
前記支持シャーシが前記主シャーシの前記下面と隣り合い、かつ前記表示パネルが前記主シャーシの前記上面と隣り合う第１の位置を有することを特徴とする請求項１に記載の携帯用コンピュータシステム。
【請求項４】
前記第１の位置において、前記支持シャーシが、前記主シャーシの厚みに収まるように配置されることを特徴とする請求項３に記載の携帯用コンピュータシステム。
【請求項５】
前記主シャーシが前記支持シャーシと角度をなし、かつ前記表示パネルが前記主シャーシと角度をなす第２の位置を有することを特徴とする請求項３に記載の携帯用コンピュータシステム。
【請求項６】
前記第２の位置において、前記支持シャーシが水平に向けられていることを特徴とする請求項５に記載の携帯用コンピュータシステム。
【請求項７】
前記主シャーシ内に配置され、前記入力装置および前記表示パネルと通信可能に結合されたプロセッサと、
前記支持シャーシ内に配置され、前記プロセッサと通信可能に結合された電気部品と、
をさらに含むことを特徴とする請求項２に記載の携帯用コンピュータシステム。
【請求項８】
前記電気部品は電源であることを特徴とする請求項７に記載の携帯用コンピュータシステム。
【請求項９】
前記電源はバッテリであることを特徴とする請求項８に記載の携帯用コンピュータシステム。
【請求項１０】
前記電気部品は、前記プロセッサを周辺部品に結合するポートであることを特徴とする請求項７に記載の携帯用コンピュータシステム。
【発明の詳細な説明】
【技術分野】
【０００１】
本発明は、人間工学的な使用を可能にしながら容易に移動させることができる携帯用コンピュータシステムに関する。
【背景技術】
【０００２】
携帯用コンピュータは、小型で軽量の計算処理装置であり、例えばノートブック型コンピュータ、携帯情報端末、タブレット型パーソナルコンピュータ、ラップトップ型コンピュータなどの任意の携帯用電子装置である。携帯用と移動用に設計されているが、多くの人は、携帯用コンピュータを卓上で使用する。携帯用コンピュータを卓上で使用すると、常に、人間工学と使い易さの問題が生じていた。携帯用コンピュータを有用な移動用ツールにしている特徴の多く、例えばサイズの小ささや部品の一体化は、卓上で使用されたときに制約になることがある。
【０００３】
携帯用コンピュータを卓上で使い易くするために、携帯用コンピュータのスタンドとドッキングステーションが開発されてきた。そのようなスタンドとドッキングステーションの多くは、携帯用コンピュータを従来のデスクトップシステムとして使い易くするために、例えば入力装置、ネットワーク、プリンタ、追加の表示装置などの周辺装置とのインタフェースを提供する。
【発明の開示】
【発明が解決しようとする課題】
【０００４】
卓上で固定して使用するように設計されたスタンドとドッキングステーションは容易に移動できない。
【０００５】
したがって、様々な環境における携帯用コンピュータの人間工学的な使用を可能にする携帯用コンピュータスタンドが必要であることが分かる。
【課題を解決するための手段】
【０００６】
前述の問題は、主に、前縁、後縁、上面および下面を有する主シャーシを含む携帯用コンピュータシステムによって解決される。主シャーシの前縁に支持シャーシが回転可能に接続される。主シャーシの後縁に回転可能に表示パネルが接続される。
【発明を実施するための最良の形態】
【０００７】
本発明の例示的な実施形態を詳細に説明するために添付図面を参照する。以下の説明と特許請求の範囲の全体にわたって特定のシステム構成要素を参照するために特定の用語を使用する。当業者は、コンピュータ会社が構成要素を様々な名前で呼ぶ場合があることを理解するであろう。この文書は、名前が異なるが機能は同じ構成要素を区別しない。以下の説明と特許請求の範囲において、「含む」と「備える」とは制限のない形で使用されており、したがって、「〜を含むそれに限定されない」ことを意味するように解釈されるべきである。また、用語「結合する」は、間接電気接続と直接電気接続のいずれも意味する。したがって、第１の装置が第２の装置に結合する場合、その接続は、直接電気接続によるものでもよく、他の装置および接続を介した間接電気接続によるものでもよい。
【０００８】
以下の説明は、本発明の様々な実施形態を対象とする。まず図１を参照すると、主シャーシ１２、支持シャーシ１４、および表示パネル１６からなる携帯用コンピュータシステム１０が示されている。主シャーシ１２は、前縁１８、後縁２０、上面２２、および下面２４を含む。支持シャーシ１４は、下面２４と隣り合って配置され、ヒンジ２６によって前縁１８に回転可能に接続されている。表示パネル１６は、上面２２と隣り合って配置され、ヒンジ２８によって後縁２０に回転可能に接続されている。例えばキーボード３０やタッチパッド３２などの入力装置が、主シャーシ１２の上面２２に配置されている。表示画面３４が、表示パネル１６上に配置されている。
【０００９】
コンピュータシステム１０は、図１に、支持シャーシ１４が、例えば卓上など実質的に水平な面に配置された展開位置で示されている。主シャーシ１２は、主シャーシが高い傾斜位置になるように、支持シャーシ１４に対して斜めに配置されている。表示パネル１６は、実質的に垂直位置に位置決めされている。展開位置は、システム１０が、例えば机やテーブルなどの比較的平らな作業面上で使用されているときに有用な場合がある。主シャーシ１２は、キーボード３０やタッチパッド３２の使い勝手を良くする高い角度で位置決めすることができる。表示パネル１６は、人間工学的な表示高さまで上げられ、所望の視る角度に傾けることができる。
【００１０】
主シャーシ１２と支持シャーシ１４の間にできる角度は、ヒンジ２６に一体化されたロックシステムによって維持される。主シャーシ１２と表示パネル１６の間にできる角度は、ヒンジ２８に一体化されたロックシステムによって維持される。ヒンジ２６、２８は、ユーザ操作式の確実に係合されるロックシステムを備えてもよく、各シャーシの相対位置を自動的に維持するために摩擦力を利用してもよい。ヒンジ２６、２８に一体化されたおよび／またはヒンジ外部の他のロックシステムを使用することもできる。ヒンジ２６、２８は、支持シャーシ１４および／または表示パネル１６を主シャーシ１２から切り離すことができるように着脱可能なヒンジでもよい。
【００１１】
次に図２を参照すると、携帯用コンピュータシステム１０は、システムを運ぶのに適した折り畳み位置で示されている。表示パネル１６は、主シャーシ１２の上面２２と平行に隣り合って配置されている。支持シャーシ１４は、主シャーシ１２の下面２４と平行に隣り合って配置されている。
【００１２】
次に図３を参照すると、携帯用コンピュータシステム１０は、移動用途に適した部分的に展開された位置で示されている。支持シャーシ１４は、主シャーシ１２の下面２４と平行に隣り合って配置されている。表示パネル１６は、キーボード３０および／またはタッチパッド３２の使用と表示画面３４を見ることを可能にする直立位置まで回転されている。
【００１３】
したがって、システム１０は、例を図２に示す折り畳み位置と、例を図３に示す部分的に展開された位置と、例を図１に示す展開位置に対応する。示した構成において、システム１０は、様々な形態でシステムの使用を可能にするカスタマイズ可能なパッケージを提供する。システム１０の特定の実施形態は、外部スタンドや支持体のない単一シャーシシステムで多数の形態を提供する。代替の実施形態において、支持シャーシは着脱可能であり、したがって使用していないときにシステムと別に保管することができる。したがって、携帯用コンピュータシステム１０は、カスタマイズ可能な単一パッケージでの融通性を高める携帯用コンピュータシステムを提供する。
【００１４】
次に図４を参照すると、携帯用コンピュータシステム４０は、主シャーシ４２、支持シャーシ４４、および表示パネル４６からなる。支持シャーシ４４は、ヒンジ５６によって主シャーシ４２の前縁４８に接続されている。支持シャーシ４４は、下面５４に対して鋭角に配置されている。表示パネル４６は、ヒンジ５８によって後縁５０に回転可能に接続されており、主シャーシ４２の上面５２と鈍角をなす。代替として、ヒンジ５６、５８は、支持シャーシ４４および／または表示パネル４６が主シャーシ４２から外れることを可能にすることができる。
【００１５】
主シャーシ４２の下面５４は、また、突出した中心部分６０と引っ込んでいる周囲部分６２とを含む。主シャーシ４２は、例えばプロセッサ４３、メモリ、データ記憶装置、その他の電子部品などのコンピュータシステムの動作部品を含む。支持シャーシ４４は、例えばバッテリ４５や他の電源などの特定の電気部品を含むこともあり、システムを、例えばプリンタ、外部記憶部品、キーボード、外部電源などの周辺部品につなぐポート６４を備えてもよい。
【００１６】
支持シャーシ４４は、支持シャーシが主シャーシ４２に対して閉じられたときに、支持シャーシの底面が主シャーシの下面５４と実質的に同じ平面になるように、凹んだ周囲部分６２にぴったりと嵌るようにサイズが決められることが好ましい。したがって、主シャーシ４２の厚さの範囲内で支持シャーシ４４と主シャーシ４２を互いに平行に位置決めすることができる。したがって、システム４０は、携帯用コンピュータに、ユーザがよく知っている従来の二枚貝型構造（クラムシェル構造）の一体形スタンドを提供する。
【００１７】
次に図６を参照すると、コンピュータシステムは、第１の回転接続部で主シャーシを支持シャーシに取り付けることによって組み立てられる。表示パネルは、第２の回転接続部で主シャーシに取り付けられる。第１の回転接続部は主シャーシの前縁に配置され、第２の回転接続部は主シャーシの後縁に配置される。主シャーシには、プロセッサなどの第１のコンピュータシステム構成要素が取り付けられる。支持シャーシには、バッテリや外部コネクタなどの第２のコンピュータシステム構成要素が取り付けられる。第１のコンピュータシステム構成要素は、第２のコンピュータシステム構成要素に通信可能に結合される。コンピュータシステムは、任意の配列たまは順序で組み立てることができる。いくつかの実施形態において、特定の構成要素が、コンピュータに一時的に取り付けられることもあり、取り外し可能に接続されることもある。
【００１８】
コンピュータシステムは、支持シャーシと表示パネルが主シャーシと実質的に平行でかつ好ましくは主シャーシの反対側にある折り畳み位置で位置決めすることができる。また、コンピュータシステムを、支持シャーシが主シャーシの下に傾斜しかつ表示パネルが主シャーシの上に傾斜している展開位置に位置決めすることによって、コンピュータシステムを配置することができる。
【００１９】
以上の考察は、本発明の原理と様々な実施形態を例証するためのものである。以上の開示を完全に理解した後で、当業者には多くの変形と修正が明らかになるであろう。例えば、調整式コンピュータスタンドを、他のタイプの携帯用システム、ノートパッドシステム、携帯情報端末、他の機器などの様々な携帯用コンピュータシステムと共に使用するように容易に構成することができる。
【図面の簡単な説明】
【００２０】
【図１】本発明の実施形態による展開位置にある携帯用コンピュータシステムを示す図である。
【図２】折り畳み位置にある図１の携帯用コンピュータシステムを示す図である。
【図３】ある程度展開された位置にある図１の携帯用コンピュータシステムを示す図である。
【図４】本発明の実施形態により展開位置にある携帯用コンピュータシステムを示す図である。
【図５】折り畳み位置にある図４の携帯用コンピュータシステムを示す図である。
【図６】本発明の実施形態によりコンピュータシステムを構成する方法を示す図である。
【符号の説明】
【００２１】
１０  携帯用コンピュータシステム
１２  主シャーシ
１４  支持シャーシ
１６  表示パネル
１８  前縁
２０  後縁
２２  上面
２４  下面
【図１】
2006099764.tif 000003
【図２】
2006099764.tif 000004
【図３】
2006099764.tif 000005
【図４】
2006099764.tif 000006
【図５】
2006099764.tif 000007
【図６】
2006099764.tif 000008